(57)【要約】【課題】プリント基板等にはんだ付けされた部品を取り外す際に、溶解したはんだを吸引しながら除去する軽量で、操作性に優れたはんだ除去装置を提供する。【解決手段】はんだの吸引口（３）を有し、かつ先端部（６）ではんだを溶かすことができるはんだごて部（２）を形成する。はんだごて部（２）の先端部及び／又はその周囲に加熱空気を吹きつけることができる空気吹出口（９）を設け、はんだごて部（２）と空気吹出口（９）から吹き出す空気を加熱する共通のヒーター（１２）を内蔵してはんだ除去装置（１）を構成する。【選択図】図１
2004322152.tif 000002
【特許請求の範囲】
【請求項１】
はんだの吸引口を有し、かつ先端部ではんだを溶かすことができるはんだごて部と、
当該はんだごて部の先端部及び／又はその周囲に加熱空気を吹きつけることができる空気吹出口とを有するはんだの除去装置であって、
前記はんだごて部及び吸引口からの吸引物、並びに前記空気吹出口から吹き出される吹出空気を加熱できる共通のヒーターを内蔵したことを特徴とするはんだ除去装置。
【請求項２】
内部に吸引通路を有する筒状のはんだごて部の先端部をはんだを溶融するチップ部とすると共に前記吸引通路の先端を吸引口とし、前記はんだごて部の先端部及び／又は周囲に加熱空気を吹き出す空気吹出口を有する吹出通路を設け、前記吸引通路、チップ部及び吹出通路を加熱する共通のヒーターを備えたことを特徴とするはんだ除去装置。
【請求項３】
ヒーターは、パイプ状に形成し、当該パイプ状のヒーターの内側に吸引通路を形成し、前記パイプ状のヒーターの外側に前記吹出通路が形成されるように間隔を空けて外皮で覆ったことを特徴とする請求項１又は２記載のはんだ除去装置。
【請求項４】
外皮は、先端側に行くに従って絞り込んだ形状とし、当該外皮の先端縁と前記はんだごて部の外周壁とで前記空気吹出口を形成したことを特徴とする請求項３記載のはんだ除去装置。
【請求項５】
吸引口と空気吹出口の配置は、空気吹出口より吸引口が先端側に位置することを特徴とする請求項１乃至４のいずれか一項記載のはんだ除去装置。
【請求項６】
主スイッチと、作動スイッチとを備え、作動スイッチの入り切りによってはんだ吸引動作の開始及び停止を行うことを特徴とする請求項１乃至５のいずれか一項記載のはんだ除去装置。
【請求項７】
前記ヒーターの温度設定を行う温度コントローラを備え、当該温度コントローラの温度制御は、作動スイッチを切り状態としてはんだ吸引動作を停止しているときに所定の待機温度とし、作動スイッチを入り状態としてはんだ吸引動作を行っているときに前記待機温度から上昇するように制御することを特徴とした請求項６記載のはんだ除去装置。
【発明の詳細な説明】
【０００１】
【発明の属する技術分野】
この発明は、プリント基板等にはんだ付けされた部品を取り外す際に、溶解したはんだを吸引しながら除去することができるはんだ除去装置に関する。
【０００２】
【従来の技術】
従来、配線基板にはんだ付けで取り付けられた表面実装部品（ＩＣなど、以下、単に「部品」という）を取り外す際にはんだ取り外し装置が用いられており、例えば、本願の出願人は、特開平７−２４５４７６号公報等の装置を提案している。
【０００３】
この特開平７−２４５４７６号公報記載のはんだ取り外し装置は、部品の取付はんだに沿って移動させることができる駆動手段を設けたので、少ない熱量で、効率的な部品の取り外しができる効果があるが、部品を取り外すときに溶融したはんだを除去、回収する手段は備えていなかった。
【０００４】
基板から部品、特にＢＧＡ部品（ＬＳＩなど）を取り外した後、基板を清掃するためには、溶解したはんだを除去することが不可欠であるが、部品を取り付けたはんだを溶解しつつ、溶解したそのはんだを回収できる装置として、従来、図２図示のようなはんだ除去装置５０が用いられていた。
【０００５】
図２図示の従来のはんだ除去装置５０について説明すると、まず、はんだ除去装置５０は、内部に吸引通路５１ａを形成した筒体５１の先端部に、前記吸引通路５１ａに連通する吸引口５２ａを有するチップ５２を備えたはんだごて部の前記筒体５１の周囲にパイプ状のヒーターが取り付けてある。
【０００６】
また、前記吸引通路５１ａの後端に、内部に多孔質の繊維状固体を封入したはんだ回収カートリッジ５３を取り付け、そのはんだカートリッジ５３の後端へ吸引ポンプ（不図示）へ繋がる吸引チューブが接続してある。
【０００７】
これらの構成部品は、把持部５５を有する基体５６に設置してあり、把持部５５には、吸引ポンプ（不図示）を作動させるトリガー５７が取り付けてある。
【０００８】
このように構成したはんだ除去装置５０のチップ５２を部品を取り付けているはんだに接触させて溶解し、トリガー５７を操作して、吸引ポンプ（不図示）を作動させ、はんだ除去作業を開始すると、最初のうちは順調にはんだを吸引することができる。
【０００９】
しかし、はんだを吸引するときは、外気を同時に吸い込むことになり、しかも、ＢＧＡ部品等の取り外し後に清掃作業をする場合はトリガー５７を連続的にＯＮ状態とする必要があり、連続的に外気を吸い込むことによりはんだの吸引通路５１ａが徐々に冷やされて、はんだが固化し、はんだが詰まってしまうことがあった。
【００１０】
このような状況下、図２図示の従来のはんだ除去装置５０では、十分な対処ができなくなっていた。
【００１１】
そこで、図３図示のように、はんだの吸引器６０とは別体のホットエアー供給器６１を設けて、ホットエアーを矢示６２のように供給して、はんだ（基板）をプリヒートすると共に吸引するはんだの周囲の空気を暖めながら矢示６３のようにはんだを吸引することが考えられる。
【００１２】
しかし、図３図示のような装置の場合、はんだの溶解、吸引、除去作業は両手を使って、別個の器具を操作しながら行わなければならないため、作業性が悪く、綺麗にはんだの除去を行うためには、作業者の熟練も要するとの問題があった。
【００１３】
【特許文献１】特開平７−２４５４７６号公報
【００１４】
【発明が解決しようとする課題】
この発明は、はんだを溶解しつつ、吸引、除去できるはんだ除去装置であって、はんだごて部を加熱した熱を無駄なく利用してはんだの吸引動作中に溶解したはんだが固化して吸引チューブ中で詰まることを防止し、連続的にはんだを除去できるコンパクトなはんだ除去装置を提供することを課題とする。
【００１５】
【課題を解決するための手段】
この発明は、単一のヒーターではんだの溶融を行うチップおよびはんだの吸引通路の加熱、さらには、ホットエアーの生成を行い、取り外す部品の周囲にホットエアーを供給しつつ、はんだを溶解し、吸引、除去できるはんだ除去装置によって前記課題を解決したのである。
【００１６】
即ち本発明のはんだ除去装置は、はんだの吸引口を有し、かつ先端部ではんだを溶かすことができるはんだごて部と、当該はんだごて部の先端部及び／又はその周囲に加熱空気を吹きつけることができる空気吹出口とを有するはんだの除去装置であって、前記はんだごて部及び吸引口からの吸引物、並びに前記空気吹出口から吹き出される吹出空気を加熱できる共通のヒーターを内蔵したことを特徴とするはんだ除去装置である（請求項１）。
【００１７】
また、他の発明は、内部に吸引通路を有する筒状のはんだごて部の先端部をはんだを溶融するチップ部とすると共に前記吸引通路の先端を吸引口とし、前記はんだごて部の先端部及び／又は周囲に加熱空気を吹き出す空気吹出口を有する吹出通路を設け、前記吸引通路、チップ部及び吹出通路を加熱する共通のヒーターを備えたことを特徴とするはんだ除去装置である（請求項２）。
【００１８】
ここで、前記ヒーターは、パイプ状に形成し、当該パイプ状のヒーターの内側に吸引通路を形成し、前記パイプ状のヒーターの外側に前記吹出通路が形成されるように間隔を空けて外皮で覆った構成とすることができる（請求項３）。また、前記外皮は、先端側に行くに従って絞り込んだ形状とし、当該外皮の先端縁と前記はんだごて部の外周壁とで前記空気吹出口を形成した構成とすることもできる（請求項４）。
【００１９】
さらに、前記吸引口と空気吹出口の配置は、空気吹出口より吸引口が先端側に位置することが望ましい（請求項５）。
【００２０】
また、はんだ除去装置は、主スイッチと、作動スイッチとを備え、作動スイッチの入り切りによってはんだ吸引動作の開始及び停止を行う構成とすることができ（請求項６）、さらに、前記ヒーターの温度設定を行う温度コントローラを備え、当該温度コントローラの温度制御は、作動スイッチを切り状態としてはんだ吸引動作を停止しているときに所定の待機温度とし、作動スイッチを入り状態としてはんだ吸引動作を行っているときに前記待機温度から上昇するように制御するようにできる（請求項７）。
【００２１】
【発明の実施の形態】
以下、この発明の実施の形態を図面に基づいて説明する。なお、図１は、この発明のはんだ除去装置１の構成を説明する概念図である。また、この明細書において、「先端側」とは、図１中、矢示８（空気の吹出側）で示す側をいうものとする。
【００２２】
（１）  この発明のはんだ除去装置１は、加熱したはんだごて部２ではんだを溶解し、そのはんだを吸引除去できるように、はんだごて部２の先端部に溶解したはんだを矢示１１のように吸引する吸引口３を有している。
【００２３】
このようなはんだごて部２は、例えば、内部に吸引通路４を形成した筒体５からなり、当該筒体５の先端部にチップ６を備えた構成とすることができる。
【００２４】
ここで、チップ６は、加熱され、実際にはんだに接触してはんだを溶解させる部分であり、筒体５と一体成形のものであってもよいし、作業対象となる基板や部品の形状等に応じて取り替えできるようにしてもよい。チップ６を取り替えできるようにすれば、作業するスペースや、取り外す部品の間隔等に応じて、作業しやすい形状、大きさのチップを選択してはんだの溶融、吸引除去作業を行うことができる。
【００２５】
吸引口３は、吸引通路４の先端部に相当し、吸引通路４の後端４ａ側は、ポンプ等の吸引手段（不図示）へ接続される。ここで、吸引通路４の後端側と吸引手段（不図示）の間にははんだ回収手段７を介装することが望ましい。はんだ回収手段７を介装させ、はんだを回収するようにするのは、吸引口３から吸引したはんだが吸引手段（例えば、ポンプ）内に吸い込まれ、運転に支障をきたすことがないようにするためである。
【００２６】
（２）  この発明のはんだ除去装置１は、はんだごて部２の吸引口３から吸い込むはんだが、吸引通路４等の内部で冷やされ、固着し、詰まってしまわないように、はんだごて部２のチップ（先端部）６及び／又はその周囲に加熱空気（ホットエアー）を矢示１０、１０のように吹きつけることができる空気吹出口９を有する。
【００２７】
ここで、はんだごて部２のチップ（先端部）６及び／又はその周囲に加熱空気（ホットエアー）を矢示１０、１０のように吹きつけるのは、以下の理由による。
【００２８】
すなわち、溶融したはんだを吸引口３から吸引するときは、吸引口３の周囲の空気（外気）を同時に吸い込むことになるが、加熱されていない吸引口３の周囲の空気（外気）を吸い込み続けると、はんだごて部２が継続的に加熱されていても、徐々にはんだごて部２の温度が低下し、はんだが固化して吸引通路４が詰まり始めてしまう。
【００２９】
そこで、吸引口３から吸い込む空気を予め加熱しておけば、はんだ除去装置１を連続使用して外気を吸引し続けても、外気は加熱されているので、はんだごて部２の温度が低下することはなく、はんだによる吸引通路４の詰まりを防止することができる。
【００３０】
（３）  この発明のはんだ除去装置１は、装置の軽量化及び、熱の効率的利用を図るべく、はんだごて部２及び吸引口３からの吸引物（はんだ及び空気を指す）、並びに吹出口９から吹き出される吹出空気を加熱できる共通のヒーターを内蔵している。
【００３１】
すなわち、この発明のはんだ除去装置１は、単一のヒーター１２を備えていればよい。
【００３２】
単一のヒーター１２の形状、配置は、はんだごて部２及び吸引口３からの吸引物、並びに吹出口９から吹き出される吹出空気を加熱できるものであればどのような形状、配置であってもよい。
【００３３】
例えば、ヒーター１２を、図１図示のようにパイプ状に形成し、ヒーター１２の内側に吸引通路４を形成した筒体５を配置し、ヒーター１２の外側に吹出通路１３が形成されるように間隔１３を空けて外皮１４で覆った構成とすることができる。このように構成したときは、外皮１４は、図１図示のように先端側に行くに従って絞り込んだ形状（先端側に向けて細くなる）とし、外皮１４の先端縁１４ａとはんだごて部２の外周壁とで空気吹出口９を形成した構成とすることができる。このような形状の空気吹出口であれば、吸引口３の周辺へ効果的に加熱空気（ホットエアー）を供給することができる。
【００３４】
また、例えば、一本の筒体の内部を壁体で２つに区分けして断面半円状の一方を吸引通路、他方を吹出通路とし、前記壁体に沿ってヒーターを装着する構成とすることなども可能である。
【００３５】
なお、吹出通路３には、ポンプ等の吐出手段（不図示）が接続されている。
【００３６】
（４）  この発明のはんだ除去装置１の吸引口３と空気吹出口９の配置は、空気吹出口９より吸引口３が先端側に位置する構成とすることが望ましい。
【００３７】
このような構成とすれば、吸引口３を設けたチップ６ではんだの溶融を行い易く、また、溶融したはんだが吹き飛ばされることがなく、吸引口３によるはんだの吸引に支障をきたすおそれがない。
【００３８】
（５）  この発明のはんだ除去装置は、ヒーター１２の通電量を増大させる操作部１５と、ヒーター１２の温度設定を行う温度コントローラ（不図示）とを更に備えていることが望ましい。
【００３９】
操作部１５は、図２で示したように把持部１６にヒーター１２、吸引ポンプ（不図示）及び吐出ポンプ（不図示）を作動させるトリガー１７を取り付けた構成とすることができる。このトリガー１７は、作動スイッチに相当する。
【００４０】
また、前記温度コントローラ（不図示）は、はんだごて部２の温度を、操作部１５を操作してはんだの吸引を行うときに、操作部１５を操作していない待機時の温度から上昇するように制御することが望ましい。
【００４１】
温度コントローラの温度制御をこのように行うのは以下の理由による。
【００４２】
すなわち、このはんだ除去装置１は、実際にはんだの吸引作業を行う以前に主スイッチを入れて予めヒーター１２に通電しておくが、このとき、ヒーター１２に供給する電力が強すぎるとはんだごて部２の温度が上昇しすぎる。あまり温度が高くなりすぎると、通常金属製であるはんだごて部２が酸化して、消耗が著しくなるからである。
【００４３】
なお、吸引作業中は、はんだと共に外気を吸引するので、ヒーター１２の通電量を増大して温度を高め、これによりはんだごて部２の温度を高めに設定するように制御し、しかも、吸引する外気が加熱空気（ホットエアー）であったとしても、はんだごて部２の温度が上昇しすぎることはない。
【００４４】
【実施例】
この発明のはんだ除去装置１の実施例を図面に基づき説明する。
【００４５】
〔構成〕
この発明のはんだ除去装置１は、以下のように構成する。
【００４６】
（１）  内部に吸引通路４を有する筒状のはんだごて部２の先端部をはんだを溶融するチップ部６とすると共に吸引通路４の先端を吸引口３とする。
【００４７】
（２）  はんだごて部２の周囲には、ハイプ状に形成したヒーター１２を密着させて装着する。さらにヒーター１２の周囲には、間隔を空けて外皮１４を取り付けてヒーター１２の外周壁と外皮１４との間に吹出通路１３を形成する。
ヒーター１２は、最大入力１２０Ｗ、フィードバックゼロクロス制御の２４Ｖセラミックヒーターを用いる。
外皮１４は、先端側に行くに従って絞り込んだ形状となっていて、外皮１４の先端縁１４ａとはんだごて部２の外周壁とで空気吹出口９を形成している。
吸引口３と空気吹出口９、空気吹出口９より吸引口３が先端側（矢示８側）に位置するように配置してある。
また、吹出通路１３には、不図示の吐出ポンプに接続する空気吹込チューブ１８を取り付けてある。吐出ポンプからは、毎分０．５〜１リットルの外部エアーが供給される。
【００４８】
（３）  はんだごて部２の吸引通路４の後端４ａにはんだ回収手段であるカートリッジ７が接続してある。カートリッジ７は、内部に例えば、フェルトや、たばこ用のフィルターに用いられる物質、綿、切子（金属くず）等の繊維状個体を充填しておいて、吸引されたはんだを絡め取るものであるが、この実施例のカートリッジ７には、フェルトが充填してある。また、カートリッジ７の後端７ａには、不図示の吸引ポンプに接続する吸引チューブ１９が取り付けてある。
【００４９】
（４）  前記のはんだごて部２、カートリッジ７等は操作部１５を備えた基体２１に設置してある。操作部１５は、把持部１６に作動スイッチとなるトリガー１７を取り付けた形状をなしており、はんだ除去装置１は、図子のように全体で銃状の外観をなしている。
トリガー１７は、温度コントローラ（不図示）を介してヒーター１２の温度をさせると同時に吸引ポンプ（不図示）、吐出ポンプ（不図示を）を作動させるように配線されている。
温度コントローラ（不図示）は、はんだ除去装置１が別途、備えるは、主スイッチ（不図示）を入れただけの待機状態の待機温度から、トリガー１７を引いたときにヒーターの温度が上昇するようにはんだごて部２の温度を制御している。
【００５０】
〔使用方法〕
このように構成されたはんだ除去装置１の使用方法について説明する。
【００５１】
（１）  まず、はんだ除去装置１の主スイッチを入れ、ヒーター１２に通電し、はんだごて部２を待機温度に加熱するとともに、吹出通路１３内の空気を加熱しておく。
【００５２】
（２）  吸引作業を始めるときは、トリガー１７を引けば、ヒーターの通電量が増し、はんだごて部２の温度が上昇する。また、矢示２２のように外部エアーが吹出通路１３に供給され、その外部エアーがヒーター１２で加熱されて空気吹出口９から矢示１０のように加熱空気（ホットエアー）が吹き出される。この加熱空気（ホットエアー）を除去対象部分のはんだにあてることにより、基板上のはんだがプリヒートされる。
【００５３】
（３）  この状態から、プリヒートされたはんだにチップ部６を接触させてはんだを溶融する。トリガー１７を引くと、吸引ポンプが作動しているので、溶融したはんだは、空気吹出口９から吹き出したチップ部６の周囲の加熱空気（ホットエアー）とともに矢示１１のように吸引口３から吸引される。
【００５４】
（４）  吸引されたはんだは、空気と共に矢示２３のようにカートリッジ７内に吸引される。ここで、はんだは、カートリッジ７内のフェルトで絡め取られるので、カートリッジ７の後端に接続した吸引チューブ１９にはんだが吸い込まれることはない。
【００５５】
（５）  目的の箇所のはんだを除去できれば、トリガー１７をリリースしてポンプの吸引、吐出動作を停止する。目的の箇所のはんだを除去できれば、次の箇所のはんだ除去作業に移ればよい。
なお、カートリッジ７は吸引したはんだが一杯になったときに交換する。
【００５６】
以上、この発明の好ましい実施例を添付図面を参照して説明したが、本発明はかかる実施の形態に限定されるものではなく、特許請求の範囲の記載から把握される技術的範囲において種々な形態に変更可能である。
【００５７】
【発明の効果】
この発明は、はんだに接触させてはんだを溶融するはんだごて部の加熱と、はんだごて部の先端部付近に供給する加熱空気の生成を単一のヒーターで行うようにしたので、装置を簡略化し、軽量な装置とすることができた。これにより、作業者の負担を軽減でき、作業の能率、正確性を向上させることができた。
【００５８】
また、吹出通路を形成する外皮を、先端側に行くに従って絞り込んだ形状とし、さらに、吸引口と空気吹出口を、空気吹出口より吸引口が先端側に位置するように配置したことにより、加熱空気（ホットエアー）を除去の対象となるはんだ及びはんだごて部の先端周囲に確実に供給することができる。
【００５９】
さらに、ヒーターの通電量を増大させる操作部と、前記ヒーターの温度設定を行う温度コントローラとを更に備え、当該温度コントローラを、はんだごて部の温度を、操作部を操作してはんだの吸引を行うときに、前記操作部を操作していない待機時の温度から上昇するように制御するようにしたので、はんだごて部の温度が上昇しすぎることがなく、酸化の促進による、はんだごて部の消耗を軽減することができる。
【図面の簡単な説明】
【図１】この発明のはんだ除去装置の構成を説明する概念図。
【図２】従来のはんだ除去装置の構成を説明する概念図。
【図３】はんだ除去の他の方法を説明する概念図。
【符号の説明】
１  はんだ除去装置
２  はんだごて部
３  吸引口
４  吸引通路
５  筒体
６  チップ部
７  カートリッジ
９  空気吹出口
１２  ヒーター
１３  吹出通路
１４  外皮
１５  操作部
１６  把持部
１７  トリガー
５０  従来のはんだ除去装置
【図１】
2004322152.tif 000003
【図２】
2004322152.tif 000004
【図３】
2004322152.tif 000005